(57)【要約】【課題】従来の室内機では、グリル同士の合わせ面に隙間が生じたり、グリル同士が上下方向にずれて、室内機の外観が悪くなるという問題がある。【解決手段】この室内機は、送風ファンを含む室内機本体と、送風ファンの軸方向において分割され、それぞれが室内機本体に固定される一対の隣接するグリル（正面グリル２０及び右グリル４０）とを備えている。正面グリル２０には第１係合部２６（係合部）が形成され、右グリル４０には第３係合部４４（係合部）が形成されている。そして、第１係合部２６の上下方向の幅Ｗは、右グリル４０（他方のグリル）から送風ファンの軸方向に離れるにつれて短くなっている。また、第３係合部４４の上下方向の幅Ｗは、正面グリル２０（他方のグリル）から送風ファンの軸方向に離れるにつれて短くなっている。【選択図】図７
2014070757.tif 000002
【特許請求の範囲】
【請求項１】
送風ファンを含む室内機本体と、
前記送風ファンの軸方向において分割され、それぞれが前記室内機本体に固定される一対の隣接するグリルとを備え、
前記一対の隣接するグリルの双方には、互いに対向し、かつグリル同士を係合する係合部が形成されており、
前記係合部の双方は、共に上下方向の幅が、他方のグリルから前記軸方向に離れるにつれて短くなっていることを特徴とする室内機。
【請求項２】
前記係合部の係合端部は、共に直線状に傾斜していることを特徴とする請求項１に記載の室内機。
【請求項３】
前記一対の隣接するグリルの少なくとも一方に螺子穴が形成されており、
他方が前記室内機本体に固定された後で、前記一方が螺子によって前記室内機本体に固定される場合において、
前記一方に形成された係合部の第１係合端部と、前記他方に形成された係合部の第２係合端部は、前記一方が前記室内機本体に固定される際の螺子の回転方向に対して、前記第１係合端部、前記第２係合端部の順に配置されていることを特徴とする請求項１又は２に記載の室内機。
【発明の詳細な説明】
【技術分野】
【０００１】
本発明は、室内機の長手方向において分割されたグリルを備えた室内機に関する。
【背景技術】
【０００２】
従来の室内機には、室内機の長手方向において、左グリル、正面グリル、及び右グリルの３つに分割された前面グリルを備えたものがある。この室内機では、分割された３つのグリルがそれぞれ室内機本体に固定されている。
【先行技術文献】
【特許文献】
【０００３】
【特許文献１】特開２００６−７１２２３号公報
【発明の概要】
【発明が解決しようとする課題】
【０００４】
ところで、この室内機では、分割されたグリルがそれぞれ室内機本体に固定されるため、グリル同士の合わせ面に隙間が生じたり、グリル同士が上下方向にずれて、室内機の外観が悪くなるという問題がある。
【０００５】
そこで、本発明の目的は、分割されたグリルがそれぞれ室内機本体に固定される場合であっても、グリル同士の合わせ面に隙間が生じたり、グリル同士が上下方向にずれることを抑制できる室内機を提供することである。
【課題を解決するための手段】
【０００６】
第１の発明にかかる室内機は、送風ファンを含む室内機本体と、前記送風ファンの軸方向において分割され、それぞれが前記室内機本体に固定される一対の隣接するグリルとを備え、前記一対の隣接するグリルの双方には、互いに対向し、かつグリル同士を係合する係合部が形成されており、前記係合部の双方は、共に上下方向の幅が、他方のグリルから前記軸方向に離れるにつれて短くなっていることを特徴とする。
【０００７】
この室内機では、一対の隣接するグリルの双方に形成された係合部の上下方向の幅が、他方のグリルから送風ファンの軸方向に離れるにつれて短くなっているので、一対のグリルを室内機本体に固定する際に、この係合部にグリル同士を互いに引き込む力が働く。その結果、分割されたグリルがそれぞれ室内機本体に固定される場合であっても、グリル同士の合わせ面に隙間が生じたり、グリル同士が上下方向にずれることを抑制できる。
【０００８】
第２の発明にかかる室内機は、第１の発明にかかる室内機において、前記係合部の係合端部は、共に直線状に傾斜していることを特徴とする。
【０００９】
この室内機では、係合部の係合端部が共に直線状に傾斜しているので、一対のグリルを室内機本体に固定する際に、グリル同士が互いに引き込まれやすくなる。したがって、グリル同士の合わせ面に隙間が生じたり、上下方向にずれが生じることを抑制できる。
【００１０】
第３の発明にかかる室内機は、第１又は第２の発明にかかる室内機において、前記一対の隣接するグリルの少なくとも一方に螺子穴が形成されており、他方が前記室内機本体に固定された後で、前記一方が螺子によって前記室内機本体に固定される場合において、前記一方に形成された係合部の第１係合端部と、前記他方に形成された係合部の第２係合端部は、前記一方が螺子によって前記室内機本体に固定される際の螺子の回転方向に対して、前記第１係合端部、前記第２係合端部の順に配置されていることを特徴とする。
【００１１】
この室内機では、一方のグリルを螺子で固定する際の螺子の締付力によって、当該一方のグリルが、他方のグリル側に引き込まれていくので、グリル同士の合わせ面に隙間が生じたり、上下方向にずれが生じることを抑制できる。
【発明の効果】
【００１２】
以上の説明に述べたように、本発明によれば、以下の効果が得られる。
【００１３】
第１の発明では、一対の隣接するグリルの双方に形成された係合部の上下方向の幅が、他方のグリルから送風ファンの軸方向に離れるにつれて短くなっているので、一対のグリルを室内機本体に固定する際に、この係合部にグリル同士を互いに引き込む力が働く。その結果、分割されたグリルがそれぞれ室内機本体に固定される場合であっても、グリル同士の合わせ面に隙間が生じたり、グリル同士が上下方向にずれることを抑制できる。
【００１４】
第２の発明では、係合部の係合端部が共に直線状に傾斜しているので、一対のグリルを室内機本体に固定する際に、グリル同士が互いに引き込まれやすくなる。したがって、グリル同士の合わせ面に隙間が生じたり、上下方向にずれが生じることを抑制できる。
【００１５】
第３の発明では、一方のグリルを螺子で固定する際の螺子の締付力によって、当該一方のグリルが、他方のグリル側に引き込まれていくので、グリル同士の合わせ面に隙間が生じたり、上下方向にずれが生じることを抑制できる。
【図面の簡単な説明】
【００１６】
【図１】本発明の第１実施形態に係る室内機の外観図である。
【図２】図１に示す室内機の断面図である。
【図３】（ａ）は、図１に示す室内機から前面パネル及び水平フラップを取り外したときの外観図であり、（ｂ）は、（ａ）のうちグリルのみを示した図である。
【図４】（ａ）は、正面グリルの斜視図であり、（ｂ）は、左グリルの斜視図であり、（ｃ）は、右グリルの斜視図である。
【図５】正面グリル、左グリル、及び右グリルの背面図である。
【図６】（ａ）は、正面グリルを室内機本体に固定する際の様子を示した模式図であり、（ｂ）は、左グリル及び右グリルを室内機本体に固定する際の様子を示した模式図である。
【図７】（ａ）は、図５に示すＡ部拡大図であり、（ｂ）は、図５に示すＢ部拡大図である。
【図８】（ａ）は、右グリルを螺子によって室内機本体に固定する直前の第１係合部及び第３係合部付近の拡大図であり、（ｂ）は、右グリルを螺子によって室内機本体に固定した後の第１係合部及び第３係合部付近の拡大図である。
【図９】（ａ）は、左グリルを螺子によって室内機本体に固定する直前の第２係合部及び第４係合部付近の拡大図であり、（ｂ）は、左グリルを螺子によって室内機本体に固定した後の第２係合部及び第４係合部付近の拡大図である。
【図１０】図８（ｂ）に示すＸ−Ｘ断面図である。
【図１１】第２係合部と第４係合部付近の模式図である。
【図１２】第２実施形態に係る各グリルの背面図である。
【図１３】第２実施形態に係る第１係合部と第３係合部付近の模式図である。
【図１４】変形例に係る正面グリルと右グリルの一部拡大図である。
【図１５】比較例における、右グリルを螺子によって室内機本体に固定した後の一部拡大図である。
【発明を実施するための形態】
【００１７】
以下、図面を参照しつつ本発明の実施形態に係る空気調和機について説明する。
【００１８】
［第１実施形態］
［室内機１の構成］
本発明の第１実施形態に係る室内機１は、図１に示すように、全体として一方向に細長い形状を有しており、その長手方向が水平となるように室内の壁面に据え付けられる。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、図１に示す左右方向を単に「左右方向」と称する。
【００１９】
図２に示すように、室内機１は、ケーシング２と、ケーシング２内に収容された熱交換器３、送風ファン４、フィルタ５および電装品箱（図示省略）などの内部機器を備えている。そして、熱交換器３、送風ファン４、フィルタ５、電装品箱（図示省略）などにより室内機本体６が形成されている。
【００２０】
ケーシング２の上面には吸込口２ａが形成されており、ケーシング２の下面には吹出口２ｂが形成されている。吹出口２ｂの近傍には、上下方向の風向きの調整と、吹出口２ｂの開閉を行う水平フラップ７が２つ配置されている。送風ファン４は、その軸方向が水平方向に沿うように配置されている。この送風ファン４は、上方から空気を吸い込んで、下方に吹き出すように構成されている。熱交換器３は、送風ファン４の前方、上方、及び後方を取り囲むように配置されている。空調運転時には、送風ファン４の駆動により、室内空気が吸込口２ａから吸い込まれて、吸い込まれた空気は、熱交換器３において加熱または冷却された後、吹出口２ｂから吹き出されるようになっている。
【００２１】
ケーシング２は、図１及び図２に示すように、室内機本体６の背面や底面などを覆うケーシング本体１１と、室内機本体６の前面下方側や側面を覆うグリル１２と、室内機本体６の前面上方側を覆い、グリル１２よりも前方に配置される前面パネル１３などからなる。
【００２２】
［グリル１２］
グリル１２は、図３に示すように、送風ファン４の軸方向（左右方向、室内機１の長手方向と同義。以下、単に軸方向とも称する）において、正面グリル２０、左グリル３０、及び右グリル４０の３つに分割されている。正面グリル２０は、３つのグリルの中央に配置され、左グリル３０及び右グリル４０とそれぞれ隣接している。そのため、本実施形態における、隣接する一対のグリルとは、正面グリル２０と左グリル３０、及び、正面グリル２０と右グリル４０を指す。
【００２３】
＜正面グリル２０＞
正面グリル２０は、図３〜図５に示すように、軸方向に延在した板状部材であり、化粧面である表面２０Ｆと、背面２０Ｂとを有する。この正面グリル２０には、略中央部に螺子穴２１が形成されており、この螺子穴２１と室内機本体６に形成された螺子穴（図示省略）とが螺子Ｓ（図６参照）によって螺合されることで、正面グリル２０は、表面２０Ｆが前方を向くように、室内機本体６の前面下方側に固定される。
【００２４】
この正面グリル２０は、図４（ａ）に示すように、右グリル４０との合わせ面となる端面２２と、左グリル３０との合わせ面となる端面２３とを有する。また、端面２２から右グリル４０側に突出した第１突出片２４と、端面２３から左グリル３０側に突出した第２突出片２５を有する。この第１突出片２４及び第２突出片２５は、図４（ａ）から分かるように、その表面が、正面グリル２０の表面２０Ｆよりも後方に位置している。そして、図３から分かるように、各グリルが室内機本体６に固定された状態においては、この第１突出片２４及び第２突出片２５は、左グリル３０及び右グリル４０によって隠れ、前方からは見えないようになっている。
【００２５】
＜左グリル３０＞
左グリル３０は、図３〜図５に示すように、右側方、及び背面側が解放されており、化粧面である表面３０Ｆと、背面３０Ｂとを有する。この左グリル３０には、螺子穴３１が２箇所形成されており、この螺子穴３１と室内機本体６に形成された螺子穴（図示省略）とが螺子Ｓ（図６参照）によって螺合されることで、左グリル３０は、表面３０Ｆが前方を向くように、室内機本体６の左側に固定される。なお、左グリル３０は、室内機本体６の電装品箱（図示省略）に固定される。
【００２６】
この左グリル３０は、正面グリル２０との合わせ面となる端面３２を有している。そして、左グリル３０の背面３０Ｂであって、かつ端面３２の近傍には、背面３０Ｂから後方側に突出する第１係合リブ３３が形成されている。
【００２７】
＜右グリル４０＞
右グリル４０は、図３〜図５に示すように、左側方、及び背面側が解放されており、化粧面である表面４０Ｆと、背面４０Ｂとを有する。この右グリル４０には、螺子穴４１が３箇所形成されており、この螺子穴４１と室内機本体６に形成された螺子穴（図示省略）とが螺子Ｓ（図６参照）によって螺合されることで、右グリル４０は、表面４０Ｆが前方を向くように、室内機本体６の右側に固定される。なお、右グリル４０は、室内機本体６の電装品箱（図示省略）に固定される。
【００２８】
この右グリル４０は、正面グリル２０との合わせ面となる端面４２を有している。そして、右グリル４０の背面４０Ｂであって、かつ端面４２の近傍には、背面４０Ｂから後方側に突出する第２係合リブ４３が形成されている。
【００２９】
ここで、本実施形態の各グリルを室内機本体６に固定する際には、まず、図６（ａ）に示すように、螺子Ｓで正面グリル２０を室内機本体６に固定する。具体的には、正面グリル２０の螺子穴２１の位置と、図示しない室内機本体６の螺子穴の位置とを合わせ、螺子Ｓを正面グリル２０の表面２０Ｆ側から螺合させる。なお、螺子Ｓの回転方向は、図６（ａ）の矢印で示すように、前方から見て右回りである。
【００３０】
次に、図６（ｂ）に示すように、螺子Ｓで左グリル３０及び右グリル４０を室内機本体６に固定する。左グリル３０を室内機本体６に固定する場合には、まず、左グリル３０を室内機本体６の左側に嵌め付けて、左グリル３０の螺子穴３１の位置と、図示しない室内機本体６の螺子穴の位置とを合わせる。そして、螺子Ｓを左グリル３０の表面３０Ｆ側から螺合させて、左グリル３０を室内機本体６に固定する。なお、螺子Ｓの回転方向は、図６（ｂ）の矢印で示すように、前方から見て右回りである。
【００３１】
また、右グリル４０を室内機本体６に固定する場合には、まず、右グリル４０を室内機本体６の右側に嵌め付けて、右グリル４０の螺子穴４１の位置と、図示しない室内機本体６の螺子穴の位置とを合わせる。そして、螺子Ｓを右グリル４０の表面４０Ｆ側から螺合させて、右グリル４０を室内機本体６に固定する。なお、螺子Ｓの回転方向は、図６（ｂ）の矢印で示すように、前方から見て右回りである。
【００３２】
なお、左グリル３０及び右グリル４０は、どちらから先に室内機本体６に固定しても構わない。
【００３３】
＜各係合部＞
図５のＡ部拡大図である図７（ａ）に示すように、正面グリル２０に形成された第１突出片２４は、第１係合部２６を有し、右グリル４０に形成された第２係合リブ４３は、第３係合部４４を有する。
【００３４】
ここで、第１係合部２６は、図７（ａ）に示すように、第１突出片２４のうち、係合端部２７と交差する所定の水平線Ｌ１から突出した部分を指し（符号２６で示すハッチング部分）、第１突出片２４の上方に位置している。第１係合部２６は、上下方向の幅Ｗが、右グリル４０（他方のグリル）から軸方向に離れるにつれて短くなっている。また、係合端部２７は、右グリル４０から軸方向に離れるにつれて下方側に直線状に傾斜している。
【００３５】
また、第３係合部４４は、図７（ａ）に示すように、第２係合リブ４３のうち、係合端部４５と交差する所定の水平線Ｌ３から突出した部分を指し（符号４４で示すハッチング部分）、リブ４３の下方に位置している。第３係合部４４は、上下方向の幅Ｗが、正面グリル２０（他方のグリル）から軸方向に離れるにつれて短くなっている。また、係合端部４５は、正面グリル２０から軸方向に離れるにつれて上方側に直線状に傾斜しており、より詳しくは、第１係合部２６の係合端部２７に沿って傾斜している。
【００３６】
また、図５のＢ部拡大図である図７（ｂ）に示すように、正面グリル２０に形成された第２突出片２５は、第２係合部２８を有し、左グリル３０に形成された第１係合リブ３３は、第４係合部３４を有する。
【００３７】
ここで、第２係合部２８は、図７（ｂ）に示すように、第２突出片２５のうち、係合端部２９と交差する所定の水平線Ｌ２から突出した部分を指し（符号２８で示すハッチング部分）、第２突出片２５の上方に位置している。第２係合部２８は、上下方向の幅Ｗが、左グリル３０（他方のグリル）から軸方向に離れるにつれて短くなっている。また、係合端部２９は、左グリル３０から軸方向に離れるにつれて下方側に直線状に傾斜している。
【００３８】
また、第４係合部３４は、図７（ｂ）に示すように、第１係合リブ３３のうち、係合端部３５と交差する所定の水平線Ｌ４から突出した部分を指し（符号３４で示すハッチング部分）、第１係合リブ３３の下方に位置している。第４係合部３４は、上下方向の幅Ｗが、正面グリル２０（他方のグリル）から軸方向に離れるにつれて短くなっている。また、係合端部３５は、正面グリル２０から軸方向に離れるにつれて上方側に直線状に傾斜しており、より詳しくは、第２係合部２８の係合端部２９に沿って傾斜している。
【００３９】
なお、本願で言う「上下方向」とは、図２に示すように、正面グリル２０を正面（図２の矢印Ａの方向）から見た場合における上下の方向を指す。したがって、本願で言う「上下方向」とは、正面グリル２０の向きに応じて可変するものである。
【００４０】
＜正面グリル２０と右グリル４０との係合＞
図８（ａ）は、右グリル４０を螺子Ｓによって室内機本体６に固定する直前の第１係合部２６及び第３係合部４４付近の拡大図である。図８（ａ）は、より詳しくは、正面グリル２０を螺子Ｓによって室内機本体６に固定した後に、右グリル４０を室内機本体６の右側方に嵌め付けて、右グリル４０の螺子穴４１と図示しない室内機本体６の螺子穴との位置合わせをした状態である。また、図８（ｂ）は、図８（ａ）の状態から、右グリル４０を螺子Ｓによって室内機本体６に固定した後の状態である。なお、図８においては、図の理解を容易とするため、正面グリル２０の背面２０Ｂと、右グリル４０の背面４０Ｂにドット（・）を付してある。
【００４１】
図８（ａ）に示すように、右グリル４０を螺子Ｓで固定する前の状態においては、合わせ面（正面グリル２０の端面２２と右グリル４０の端面４２）に隙間Ｃ１が生じている。この隙間Ｃ１は、正面グリル２０を室内機本体６に固定する際の取付誤差や、右グリル４０を室内機本体６の右側方に嵌め付ける際の取付誤差などによって生じるものである。
【００４２】
また、右グリル４０を螺子Ｓで固定する前の状態においては、正面グリル２０と右グリル４０は、上下方向にずれが生じている。このずれの大きさは、ずれが生じていない状態で軸方向に一致する正面グリル２０の外径線Ｌ５と右グリル４０の外径線Ｌ６とのずれＧ１で表せる。
【００４３】
ところで、このずれＧ１は、第１係合部２６の係合端部２７と、第３係合部４４の係合端部４５とが一部係合していることにより生じる。言い換えれば、右グリル４０を室内機本体６の右側方に嵌め付けて、右グリル４０の螺子穴４１と図示しない室内機本体６の螺子穴との位置合わせをする際に、この係合端部２７と係合端部４５とが必ず係合して、上下方向にずれが生じるように係合端部２７と係合端部４５とが配置されている。つまり、右グリル４０が本来固定されるべき位置より上方にずれている。
【００４４】
図８（ａ）の状態から、螺子Ｓを螺合して右グリル４０を室内機本体６に固定していくと、右グリル４０が本来固定されるべき位置、即ち、下方に移動しようとする。そのため、第３係合部４４の係合端部４５が、対向する第１係合部２６の係合端部２７を下方に押圧し、力Ｆ１を受ける。その結果、いわゆる、くさびの原理により、右グリル４０が正面グリル２０側に引き込まれる。即ち、力Ｆ１の水平成分Ｆ２により、右グリル４０が正面グリル２０側に引き込まれる。
【００４５】
その結果、外径線Ｌ５、Ｌ６が軸方向に略一致して、上下方向のズレＧ１が解消され、また、合わせ面の隙間Ｃ１も略ゼロとなる。
【００４６】
なお、例えば、図１５（ａ）の比較例に示すように、正面グリル２０’の第１突出片２４’が有する係合部と、右グリル４０’の第２係合リブ４３’が有する係合部が水平である場合には、右グリル４０’を室内機本体に固定しても、係合部同士に発生する力は、鉛直上方の力のみであるため、右グリル４０’が正面グリル２０’側に引き込まれることはない。そのため、図１５（ａ）の比較例に示す係合部では、合わせ面の隙間を解消できない。
【００４７】
＜正面グリル２０と左グリル３０との係合＞
図９（ａ）は、左グリル３０を螺子Ｓによって室内機本体６に固定する直前の第２係合部２８及び第４係合部３４付近の拡大図である。図９（ａ）は、より詳しくは、正面グリル２０を螺子Ｓによって室内機本体６に固定した後に、左グリル３０を室内機本体６の左側方に嵌め付けて、左グリル３０の螺子穴３１と図示しない室内機本体６の螺子穴との位置合わせをした状態である。また、図９（ｂ）は、図９（ａ）の状態から、左グリル３０を螺子Ｓによって室内機本体６に固定した後の状態である。なお、図９においては、図の理解を容易とするため、正面グリル２０の背面２０Ｂと、左グリル３０の背面３０Ｂにドット（・）を付してある。
【００４８】
図９（ａ）に示すように、左グリル３０を螺子Ｓで固定する前の状態においては、合わせ面（正面グリル２０の端面２３と左グリル３０の端面３２）に隙間Ｃ２が生じている。この隙間Ｃ２は、正面グリル２０を室内機本体６に固定する際の取付誤差や、左グリル３０を室内機本体６の左側方に嵌め付ける際の取付誤差などによって生じるものである。
【００４９】
また、左グリル３０を螺子Ｓで固定する前の状態においては、正面グリル２０と左グリル３０は、上下方向にずれが生じている。このずれの大きさは、ずれが生じていない状態で軸方向に一致する正面グリル２０の外径線Ｌ７と左グリル３０の外径線Ｌ８とのずれＧ２で表される。
【００５０】
ところで、このずれＧ２は、第２係合部２８の係合端部２９と、第４係合部３４の係合端部３５とが一部係合していることにより生じる。言い換えれば、左グリル３０を室内機本体６の左側方に嵌め付けて、左グリル３０の螺子穴３１と図示しない室内機本体６の螺子穴との位置合わせをする際に、この係合端部２９と係合端部３５とが必ず係合して、上下方向にずれが生じるように係合端部２９と係合端部３５とが配置されている。つまり、左グリル３０が本来固定されるべき位置より上方にずれている。
【００５１】
図９（ａ）の状態から、螺子Ｓを螺合して左グリル３０を室内機本体６に固定していくと、左グリル３０が本来固定されるべき位置、即ち、下方に移動しようとする。そのため、第４係合部３４の係合端部３５が、第２係合部２８の係合端部２９を下方に押圧し、力Ｆ３を受ける。その結果、いわゆる、くさびの原理により、左グリル３０が正面グリル２０側に引き込まれる。即ち、力Ｆ３の水平成分Ｆ４により、左グリル３０が正面グリル２０側に引き込まれる。
【００５２】
また、図１１に示すように、左グリル３０に形成された第４係合部３４の係合端部３５（第１係合端部）と、正面グリル２０に形成された第２係合部２８の係合端部２９（第２係合端部）は、左グリル３０が室内機本体６に固定される際の螺子Ｓの回転方向Ｒ１に対して、係合端部３５（第１係合端部）、係合端部２９（第２係合端部）の順に配置されている。そのため、螺子Ｓによって左グリル３０を室内機本体６に固定する際の螺子の締付力Ｆ５が正面グリル２０の方向（図１１の矢印Ｆ５の方向）にかかるため、締付力Ｆ５によっても、左グリル３０が正面グリル２０側に引き込まれる。
【００５３】
その結果、外径線Ｌ７、Ｌ８が軸方向に一致して、上下方向のズレＧ２が解消され、また、合わせ面の隙間Ｃ２も略ゼロとなる。
【００５４】
［本実施形態の室内機１の特徴］
本実施形態の室内機１には、以下の特徴がある。
【００５５】
この室内機１では、正面グリル２０に第１係合部２６（係合部）が形成され、右グリル４０に、第１係合部２６と対向し、かつグリル同士を係合する第３係合部４４（係合部）が形成されている。そして、第１係合部２６の上下方向の幅Ｗは、右グリル４０（他方のグリル）から軸方向に離れるにつれて短くなっており、また、第３係合部４４の上下方向の幅Ｗは、正面グリル２０（他方のグリル）から軸方向に離れるにつれて短くなっている。
【００５６】
そのため、右グリル４０が室内機本体６に固定される際に、第３係合部４４の係合端部４５に、右グリル４０を正面グリル２０側に引き込む力Ｆ２が働く。その結果、合わせ面の隙間Ｃ１が略ゼロとなり、また、上下方向のズレＧ１も解消される。したがって、正面グリル２０及び右グリル４０が、それぞれ室内機本体６に固定される場合であっても、グリル同士の合わせ面に隙間が生じたり、グリル同士が上下方向にずれることを抑制でき、室内機１の外観を向上できる。
【００５７】
また、この室内機１では、正面グリル２０に第２係合部２８（係合部）が形成され、左グリル３０に、第２係合部２８と対向し、かつグリル同士を係合する第４係合部３４（係合部）が形成されている。そして、第２係合部２８の上下方向の幅Ｗは、左グリル３０（他方のグリル）から軸方向に離れるにつれて短くなっており、また、第４係合部３４の上下方向の幅Ｗは、正面グリル２０（他方のグリル）から軸方向に離れるにつれて短くなっている。
【００５８】
そのため、左グリル３０が室内機本体６に固定される際に、第４係合部３４の係合端部３５に、左グリル３０を正面グリル２０側に引き込む力Ｆ４が働く。その結果、合わせ面の隙間Ｃ２が略ゼロとなり、また、上下方向のズレＧ２も解消される。したがって、正面グリル２０及び左グリル３０が、それぞれ室内機本体６に固定される場合であっても、グリル同士の合わせ面に隙間が生じたり、グリル同士が上下方向にずれることを抑制でき、室内機１の外観を向上できる。
【００５９】
また、この室内機１では、第１係合部２６の係合端部２７と、第３係合部４４の係合端部４５とが、共に直線状に傾斜しているので、正面グリル２０及び右グリル４０を室内機本体６に固定する際に、グリル同士が引き込まれやすくなる。したがって、グリル同士の合わせ面に隙間が生じたり、上下方向にずれが生じることを抑制できる。
【００６０】
また、この室内機１では、第２係合部２８の係合端部２９と、第４係合部３４の係合端部３５とが、共に直線状に傾斜しているので、正面グリル２０及び左グリル３０を室内機本体６に固定する際に、グリル同士が引き込まれやすくなる。したがって、グリル同士の合わせ面に隙間が生じたり、上下方向にずれが生じることを抑制できる。
【００６１】
また、この室内機１では、左グリル３０に形成された第４係合部３４の係合端部３５（第１係合端部）と、正面グリル２０に形成された第２係合部２８の係合端部２９（第２係合端部）は、左グリル３０が室内機本体６に固定される際の螺子Ｓの回転方向Ｒ１に対して、係合端部３５（第１係合端部）、係合端部２９（第２係合端部）の順に配置されているので、左グリル３０を螺子Ｓで締め付ける際の締付力Ｆ５によって、左グリル３０が、正面グリル２０側に引き込まれる。その結果、グリル同士の合わせ面に隙間が生じたり、上下方向にずれが生じることを抑制できる。
【００６２】
［第２実施形態］
次に、第２実施形態に係る室内機について説明する。第２実施形態に係る室内機は、図１２に示すように、正面グリル及び右グリルの一部が、第１実施形態に係る正面グリル２０及び右グリル４０と異なり、その他の構成は第１実施形態と同じである。なお、第２実施形態に係る室内機のうち、第１実施形態に係る室内機と同じ構成を有するものについては、同じ符号を用いて適宜その説明を省略する。
【００６３】
第２実施形態に係る正面グリル２０は、第１突出片２４ａが有する第１係合部２６ａの位置や形状が第１実施形態に係る第１係合部２６と異なる。具体的には、第１係合部２６ａは、図１２及び図１３に示すように、第１突出片２４ａの下方に位置し、その係合端部２７ａが、右グリル４０ａ（他方のグリル）から軸方向に離れるにつれて、上方に直線状に傾斜している。
【００６４】
また、第２実施形態に係る右グリル４０は、第２係合リブ４３ａが有する第３係合部４４ａの位置や形状が位第１実施形態に係る第３係合部４４ａと異なる。具体的には、第３係合部４４ａは、図１２及び図１３に示すように、第２係合リブ４３ａの上方に位置し、その係合端部４５ａが、正面グリル２０（他方のグリル）から軸方向に離れるにつれて、下方に直線状に傾斜している。
【００６５】
そのため、図１３に示すように、右グリル４０に形成された第３係合部４４ａの係合端部４５ａ（第１係合端部）と、正面グリル２０に形成された第１係合部２６ａの係合端部２７ａ（第２係合端部）は、右グリル４０が室内機本体６に固定される際の螺子Ｓの回転方向Ｒ２に対して、係合端部４５ａ（第１係合端部）、係合端部２６ａ（第２係合端部）の順に配置されている。そのため、螺子Ｓによって右グリル４０を室内機本体６に固定する際の螺子の締付力Ｆ６が正面グリル２０の方向（図１３の矢印Ｆ６の方向）にかかるため、締付力Ｆ６によって、右グリル４０が正面グリル２０側に引き込まれる。
【００６６】
［本実施形態の室内機の特徴］
本実施形態の室内機には、以下の特徴がある。
【００６７】
この室内機では、右グリル４０に形成された第３係合部４４ａの係合端部４５ａ（第１係合端部）と、正面グリル２０に形成された第１係合部２６ａの係合端部２７ａ（第２係合端部）は、右グリル４０が室内機本体６に固定される際の螺子Ｓの回転方向Ｒ２に対して、係合端部４５ａ（第１係合端部）、係合端部２７ａ（第２係合端部）の順に配置されているので、右グリル４０を螺子Ｓで締め付ける際の締付力Ｆ６によって、右グリル４０が、正面グリル２０側に引き込まれていくので、グリル同士の合わせ面に隙間が生じたり、上下方向にずれが生じることを抑制できる。
【００６８】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００６９】
［変形例］
第１及び第２実施形態では、グリル１２が、軸方向において正面グリル２０、左グリル３０、及び右グリル４０の３つに分割され、一対の隣接するグリルである正面グリル２０と左グリル３０、及び正面グリル２０と右グリル４０に本発明を適用した。但し、グリル１２が、軸方向において隣接する２つのグリルに分割され、その２つのグリルに本発明が適用されてもよい。また、グリル１２が、軸方向において、４つ以上に分割され、そのうちの一対の隣接するグリルそれぞれに本発明が適用されてもよい。
【００７０】
また、第１及び第２実施形態では、図８（ａ）に示すように、第１係合部２６の係合端部２７と、第３係合部４４の係合端部４５とが、共に直線状とされているが、係合端部２７、４５は必ずしも直線状にされる必要はない。また、図８（ｂ）に示すように、第２係合部２８の係合端部２９と、第４係合部３４の係合端部３５とが、共に直線状とされているが、係合端部２９、３５も必ずしも直線状にされる必要はない。
【００７１】
また、第１及び第２実施形態では、図９（ａ）に示すように、第２係合部２８が第２突出片２５の上方に位置して係合端部２９が左グリル３０から軸方向に離れるにつれて下方側に傾斜し、かつ、第４係合部３４が第１係合リブ３３の下方に位置して係合端部３５が正面グリル２０から軸方向に離れるにつれて上方側に傾斜している。しかしながら、第２係合部２８は、第２突出片２５の下方に位置して係合端部２９が左グリル３０から軸方向に離れるにつれて上方側に傾斜し、かつ、第４係合部３４が第１係合リブ３３の上方に位置して係合端部３５が正面グリル２０から軸方向に離れるにつれて下方側に傾斜していてもよい。
【００７２】
また、第１及び第２実施形態では、正面グリル２０、左グリル３０、及び右グリル４０全てに螺子穴が形成され、各グリルが螺子Ｓによって室内機本体６に固定されているが、正面グリル２０には螺子穴が形成されておらず、正面グリル２０が螺子以外の方法で室内機本体６に固定されるものであってもよい。
【００７３】
また、左グリル３０を螺子Ｓで締め付ける際の締付力Ｆ５によって、左グリル３０が、正面グリル２０側に引き込まれていくという効果がなくなるが、左グリル３０を螺子以外の方法で室内機本体６に固定してもよい。
【００７４】
また、右グリル４０を螺子Ｓで締め付ける際の締付力Ｆ６によって、右グリル４０が、正面グリル２０側に引き込まれていくという効果がなくなるが、右グリル４０を螺子以外の方法で室内機本体６に固定してもよい。
【００７５】
また、第１及び第２実施形態においては、正面グリル２０に第１突出片２４が形成され、右グリル４０に第２係合リブ４３が形成されたが、正面グリル２０の背面２０Ｂであって、かつ端面２２近傍に第２係合リブ４３に相当するリブが形成され、右グリル４０の端面４２から第１突出片２４に相当する突出片が形成されていてもよい。但し、その場合、先に右グリル４０を固定し、その後、正面グリル２０を固定する必要がある。
【００７６】
また、先に右グリル４０を固定し、その後、正面グリル２０を固定する場合、正面グリル２０に形成された係合部の係合端部（第１係合端部）と、右グリル４０に形成された係合部の係合端部（第２係合端部）とは、正面グリル２０が室内機本体６に固定される際の螺子Ｓの回転方向に対して、第１係合端部、第２係合端部の順に配置されていてもよい。そうすることで、正面グリル２０を螺子Ｓで固定する際の締付力によって、正面グリル２０が、右グリル４０側に引き込まれていくので、グリル同士の合わせ面に隙間が生じたり、上下方向にずれが生じることを抑制できる。
【００７７】
また、第１及び第２実施形態においては、正面グリル２０に第２突出片２５が形成され、左グリル３０に第１係合リブ３３が形成されたが、正面グリル２０の背面２０Ｂであって、かつ端面２３近傍に第１係合リブ３３に相当するリブが形成され、左グリル３０の端面３２から第２突出片２５に相当する突出片が形成されていてもよい。但し、その場合、先に左グリル３０を固定し、その後、正面グリル２０を固定する必要がある。
【００７８】
また、先に左グリル３０を固定し、その後、正面グリル２０を固定する場合、正面グリル２０に形成された係合部の係合端部（第１係合端部）と、左グリル３０に形成された係合部の係合端部（第２係合端部）とは、正面グリル２０が室内機本体６に固定される際の螺子Ｓの回転方向に対して、第１係合端部、第２係合端部の順に配置されていてもよい。そうすることで、正面グリル２０を螺子Ｓで固定する際の締付力によって、正面グリル２０が、左グリル３０側に引き込まれていくので、グリル同士の合わせ面に隙間が生じたり、上下方向にずれが生じることを抑制できる。
【００７９】
また、第１及び第２実施形態では、第１突出片２４と第２係合リブ４３とで、正面グリル２０と右グリル４０とを係合したが、図１４に示すように、正面グリル２０の端面２２、及び右グリル４０の端面４２にそれぞれ切欠部２２’、４２’（係合部）が形成され、当該切欠部２２’、４２’により、正面グリル２０と右グリル４０とを係合してもよい。また、同様に、正面グリル２０の端面２３、及び左グリル３０の端面３２にそれぞれ切欠部（係合部）が形成され、当該切欠部により、正面グリル２０と左グリル３０とを係合してもよい。
【００８０】
また、第１及び第２実施形態では、一方のグリルを固定した後、他方のグリルを固定しているが、一対のグリルを先に室内機本体６に嵌め付けておいて、一対のグリルを同時に室内機本体６に固定してもよい。
【産業上の利用可能性】
【００８１】
本発明を利用すれば、グリル同士の合わせ面に隙間が生じたり、グリル同士が上下方向にずれることを抑制できる。
【符号の説明】
【００８２】
１  室内機
４  送風ファン
６  室内機本体
２０  正面グリル
２１、３１、４１  螺子穴
２６  第１係合部（係合部）
２７、２９、３５、４５  係合端部
２８  第２係合部（係合部）
３０  左グリル
３４  第４係合部（係合部）
４０  右グリル
４４  第３係合部（係合部）
【図１】
2014070757.tif 000003
【図２】
2014070757.tif 000004
【図３】
2014070757.tif 000005
【図４】
2014070757.tif 000006
【図５】
2014070757.tif 000007
【図６】
2014070757.tif 000008
【図７】
2014070757.tif 000009
【図８】
2014070757.tif 000010
【図９】
2014070757.tif 000011
【図１０】
2014070757.tif 000012
【図１１】
2014070757.tif 000013
【図１２】
2014070757.tif 000014
【図１３】
2014070757.tif 000015
【図１４】
2014070757.tif 000016
【図１５】
2014070757.tif 000017